(57)【要約】      （修正有）【課題】入浴中でも、浴室を効率良く暖房することの可能な浴室暖房ユニットを提供する。【解決手段】浴室暖房ユニット１は、浴槽１２０に連通する循環経路２１０と、循環経路中に設けられた熱交換器２２０および循環ポンプ２３０とを備えた循環加熱装置２００における循環経路に連結するのに適している。この浴室暖房ユニットは、温水をシャワー状に噴出する噴出口を有する噴出部１０と、循環経路における浴槽への往路部分に設けられた切り換え弁４０と、噴出部および切り換え弁に連結された中継経路３０とを備えている。噴出部は、浴室の壁のうち、噴出口から噴出される温水が浴槽内に落下する位置に固定されている。切り換え弁は、循環ポンプ側から流れてきた温水の流れを、浴槽側と中継経路側との何れかに切り換えるようになっている。【選択図】図１
0003200104.tif 000002
【実用新案登録請求の範囲】
【請求項１】
浴槽に連通する循環経路と、前記循環経路中に設けられた熱交換器および循環ポンプとを備えた循環加熱装置における前記循環経路に連結するのに適した浴室暖房ユニットであって、
温水をシャワー状に噴出する噴出口を有する噴出部と、
前記循環経路における前記浴槽への往路部分に設けられた切り換え弁と、
前記噴出部および前記切り換え弁に連結された中継経路と
を備え、
前記噴出部は、浴室の壁のうち、前記噴出口から噴出される温水が前記浴槽内に落下する位置に固定されており、
前記切り換え弁は、前記循環ポンプ側から流れてきた温水の流れを、前記浴槽側と前記中継経路側との何れかに切り換えるようになっている
浴室暖房ユニット。
【請求項２】
前記切り換え弁の切り替え操作を行う切り換え機構と、
前記切り換え機構を遠隔操作する端末と
をさらに備えた
請求項１に記載の浴室暖房ユニット。
【請求項３】
浴槽に連通する循環経路と、前記循環経路中に設けられた熱交換器および循環ポンプとを備えた循環加熱装置における前記循環経路に連結するのに適した浴室暖房ユニットであって、
温水をシャワー状に噴出する噴出口を有する噴出部と、
前記噴出部を浴室の壁に固定するための固定部と、
前記循環経路における前記浴槽への往路部分に設けるための切り換え弁と、
前記噴出部および前記切り換え弁を連結するための中継経路と
を備え、
前記切り換え弁は、前記循環ポンプ側から流れてきた温水の流れを、前記浴槽側と前記中継経路側との何れかに切り換えるようになっている
浴室暖房ユニット。
【請求項４】
前記噴出部は、前記噴出部が前記固定部によって前記壁に固定されたときに前記噴出部から噴出した温水が前記浴槽内に落下するように前記噴出口の向きを調整するための調整機構を有する
請求項３に記載の浴室暖房ユニット。
【請求項５】
前記切り換え弁の流路切り替え操作を行う切り換え機構と、
前記切り換え機構を遠隔操作する端末と
をさらに備えた
請求項３または請求項４に記載の浴室暖房ユニット。
【考案の詳細な説明】
【技術分野】
【０００１】
本考案は、浴室暖房ユニットに関する。
【背景技術】
【０００２】
浴室を暖房する方法としては、温風による暖房が一般的である。
【０００３】
なお、特許文献１には、かけ湯用シャワー付き風呂給湯装置についての技術が開示されている。
【先行技術文献】
【特許文献】
【０００４】
【特許文献１】特開２００２−５５０８号公報
【考案の概要】
【考案が解決しようとする課題】
【０００５】
しかし、入浴中の人が温風を体に浴びた場合には、気化熱により体温が奪われるので、入浴中の人は、むしろ寒さを感じることがある。そのため、入浴中の暖房には、温風は不向きである。また、入浴中に温風で浴室を暖房すると、暖房効率が低下する。
【０００６】
本考案はかかる問題点に鑑みてなされたもので、その目的は、入浴中でも、浴室を効率良く暖房することの可能な浴室暖房ユニットを提供することにある。
【課題を解決するための手段】
【０００７】
本考案の第１の実施の形態としての浴室暖房ユニットは、浴槽に連通する循環経路と、循環経路中に設けられた熱交換器および循環ポンプとを備えた循環加熱装置における循環経路に連結するのに適している。この浴室暖房ユニットは、温水をシャワー状に噴出する噴出口を有する噴出部と、循環経路における浴槽への往路部分に設けられた切り換え弁と、噴出部および切り換え弁に連結された中継経路とを備えている。噴出部は、浴室の壁のうち、噴出口から噴出される温水が浴槽内に落下する位置に固定されている。切り換え弁は、循環ポンプ側から流れてきた温水の流れを、浴槽側と中継経路側との何れかに切り換えるようになっている。
【０００８】
本考案の第２の実施の形態としての浴室暖房ユニットは、浴槽に連通する循環経路と、循環経路中に設けられた熱交換器および循環ポンプとを備えた循環加熱装置における循環経路に連結するのに適している。この浴室暖房ユニットは、温水をシャワー状に噴出する噴出口を有する噴出部と、噴出部を浴室の壁に固定するための固定部と、循環経路における浴槽への往路部分に設けるための切り換え弁と、噴出部および切り換え弁を連結するための中継経路とを備えている。切り換え弁は、循環ポンプ側から流れてきた温水の流れを、浴槽側と中継経路側との何れかに切り換えるようになっている。
【０００９】
本考案の第１および第２の実施の形態としての浴室暖房ユニットでは、暖房オフ時には、循環ポンプ側から流れてきた温水が浴槽を介して循環経路を循環する。暖房オン時には、循環ポンプ側から流れてきた温水の流れが、切り換え弁によって、浴槽側から中継経路側に切り替わる。すると、温水が、中継経路を介して噴出口に到達し、噴出口からシャワー状に噴出したのち、浴槽内に落下する。このとき、温水シャワーの放熱効果により、浴室の空気が暖められる。浴槽内に落下した温水は、循環ポンプによって浴槽から排出され、循環経路を循環する。このように、本考案では、温水を無駄にすることなく、循環させながら、浴室の空気が暖められる。また、本考案では、浴室の暖房に、温水シャワーが用いられており、温風は用いられない。
【考案の効果】
【００１０】
本考案の第１および第２の実施の形態としての浴室暖房ユニットによれば、温水シャワーを用いて、温水を無駄にしないで循環させながら、浴室の空気を暖めるようにしたので、入浴中でも、浴室を効率良く暖房することができる。
【図面の簡単な説明】
【００１１】
【図１】本考案の一実施の形態としての浴室暖房ユニットの概略構成例を、浴室および循環加熱装置と共に表す側面図である。
【図２】図１の浴室暖房ユニットの概略構成例を、浴室および循環加熱装置と共に表す上面図である。
【図３】噴出部の概略構成の一変形例を表す図である。
【図４】固定部の断面構成例を表す図である。
【図５】切り換え機構および端末の概略構成例を表す図である。
【考案を実施するための形態】
【００１２】
以下、本考案の実施の形態について、図面を参照して詳細に説明する。以下の説明は本考案の一具体例であって、本考案は以下の態様に限定されるものではない。また、本考案は、各図に示す各構成要素の配置や寸法、寸法比などについても、それらに限定されるものではない。
【００１３】
＜１．実施の形態＞
［構成］
図１は、本考案の一実施の形態としての浴室暖房ユニット１の概略構成例を、浴室１００および循環加熱装置２００と共に表す側面図である。図２は、浴室暖房ユニット１の概略構成例を、浴室１００および循環加熱装置２００と共に表す上面図である。以下では、浴室１００および循環加熱装置２００について説明した後、浴室暖房ユニット１について説明する。
【００１４】
（浴室１００）
浴室１００は、浴槽１２０の設けられた部屋であり、壁１１０で囲まれている。壁１１０には、浴室１００の出入口１３０や、出入口１３０の開閉に用いられる扉１４０などが設けられている。浴槽１２０は、温水３００をたたえ、人がその中に入って湯あみをする入れ物である。浴槽１２０は、循環加熱装置２００に連結された風呂循環口１２１と、排水口１２２とを備えている。風呂循環口１２１には、温水３００を浴槽１２０に流入させる流入口と、温水３００を浴槽１２０から排出する排出口とが設けられている。
【００１５】
（循環加熱装置２００）
循環加熱装置２００は、浴槽１２０内の温水３００を加熱する装置である。循環加熱装置２００は、浴槽１２０に連通する循環経路２１０と、循環経路２１０中に設けられた熱交換器２２０および循環ポンプ２３０とを備えている。循環経路２１０は、循環ポンプ２３０の下流側に位置する往路２１１と、循環ポンプ２３０の上流側に位置する復路２１２とを有している。往路２１１は、熱交換器２２０を介して浴槽１２０の風呂循環口１２１の流入口に連結されている。復路２１２は、浴槽１２０の風呂循環口１２１の排出口に連結されている。なお、循環経路２１０中に、温水３００を浄化するフィルターなどが設けられていてもよい。熱交換器２２０は、加熱用熱源器によって、循環経路２１０内の温水３００を加熱するようになっている。加熱用熱源器は、例えば、電熱器、ガス燃焼器、または、石油燃焼器などによって構成されている。循環ポンプ２３０は、温水３００を循環経路２１０内で循環させるようになっている。循環ポンプ２３０は、復路２１２側から温水３００を吸い込み、往路２１１側に排出するようになっている。
【００１６】
（浴室暖房ユニット１）
浴室暖房ユニット１は、温風を用いずに、温水シャワーの放熱効果を利用して浴室１００の暖房を行う装置である。浴室暖房ユニット１は、噴出部１０、固定部２０、中継経路３０および切り換え弁４０を備えている。
【００１７】
噴出部１０は、温水３００が流入する流入口１２と、流入口１２から流入してきた温水３００をシャワー状に噴出する噴出口１１とを有している。噴出部１０は、例えば、シャワーヘッドを含んで構成されている。噴出部１０は、浴室１００の壁１１０のうち、噴出口１１から噴出される温水が浴槽１２０内に落下する位置に固定されている。噴出部１０は、例えば、浴室１００の壁１１０のうち、浴槽１２０に接する側壁に固定されている。噴出部１０は、例えば、図３に示したように、噴出口１１の向きを調整するための調整機構１３を有していてもよい。調整機構１３は、噴出部１０が固定部２０によって壁１１０に固定されたときに噴出部１０から噴出した温水が浴槽１２０内に落下するように噴出口１１の向きを調整するためのものである。
【００１８】
固定部２０は、噴出部１０を浴室１００の壁１１０に固定するための部品である。固定部２０は、例えば、噴出部１０の流入口１２を浴室１００の壁１１０に固定している。固定部２０は、例えば、図４に示したように、噴出部１０の流入口１２を支持する（または、流入口１２と嵌合する）開口部２１Ａが設けられた第１部品２１と、第１部品２１の開口部２１Ａと連通するとともに中継経路３０の一端に挿入可能な筒状の第２部品２２とにより構成されている。第１部品２１が、例えば、円盤形状となっており、固定部２０自身を壁１１１に固定するためのビス穴２１Ｂを有していることが好ましい。なお、固定部２０は、図４に記載の構成に限定されるものではない。中継経路３０は、噴出部１０および切り換え弁４０を連結するための配管である。中継経路３０は、噴出部１０および切り換え弁４０に連結されている。中継経路３０は、浴室１００内の美観上、浴室１００の外に配置されていることが好ましい。
【００１９】
切り換え弁４０は、循環経路２１０における浴槽１２０への往路部分（往路２１１の中途）に設けるための部品である。切り換え弁４０は、循環経路２１０における浴槽１２０への往路部分（往路２１１の中途）に設けられている。切り換え弁４０は、循環ポンプ２３０側から流れてきた温水３００の流れを、浴槽１２０側と中継経路３０側との何れかに切り換えるようになっている。切り換え弁４０は、例えば、三方弁で構成されている。切り換え弁４０は、流路の切り換えを手動で行うためのレバーを有していてもよい。
【００２０】
浴室暖房ユニット１は、例えば、図５に示したように、切り換え弁４０の流路切り替え操作を行う切り換え機構５０と、切り換え機構５０を遠隔操作する端末６０とを備えていてもよい。切り換え機構５０は、例えば、切り換え弁４０の流路切り換えを行う駆動部を備えており、端末６０からの制御信号に基づいて、駆動部を駆動するようになっている。切り換え機構５０における駆動部は、例えば、電動式またはワイヤー式等で、切り換え弁４０の流路切り換えを行うようになっている。端末６０は、例えば、切り換え機構５０に制御信号を出力することにより、切り換え弁４０のオンオフを制御するようになっている。端末６０は、例えば、切り換え弁４０をオンするオンボタンと、切り換え弁４０をオフするオフボタンと、オンボタンまたはオフボタンの押下げによって生成される入力信号に基づいて、上記制御信号を生成する制御部とを有している。
【００２１】
[動作]
次に、浴室暖房ユニット１の動作について説明する。
【００２２】
浴室暖房ユニット１では、切り換え弁４０において浴槽１２０側の流路が開いており、中継経路３０側の流路が閉じている時には、循環ポンプ２３０側から流れてきた温水３００が浴槽１２０を介して循環経路２１０を循環する。このとき、噴出部１０からは、温水３００のシャワーは噴出せず、浴槽１２０内の温水３００が加熱される。つまり、このときは、浴室暖房ユニット１による暖房はオフしている。
【００２３】
ユーザは、浴室暖房ユニット１による暖房をオンしたい場合には、切り換え弁４０の切り換えを手動または端末６０の操作によって行う。例えば、ユーザが切り換え弁４０のレバーを操作することによって、切り換え弁４０において浴槽１２０側の流路を閉じ、中継経路３０側の流路を開ける。また、例えば、ユーザが端末６０のオンボタンを押し下げることにより、オンボタンの押し下げに基づいた制御信号が端末６０で生成され、切り換え機構５０に出力される。切り換え機構５０は、オンボタンの押し下げに基づいた制御信号が端末６０から入力されると、入力された制御信号に基づいて、切り換え弁４０における浴槽１２０側の流路を閉じ、中継経路３０側の流路を開ける。すると、循環ポンプ２３０側から流れてきた温水３００の流れが、切り換え弁４０によって、浴槽１２０側から中継経路３０側に切り替わる。これにより、循環ポンプ２３０側から流れてきた温水３００が、中継経路３０を介して噴出口１１に到達し、噴出口１１からシャワー状に噴出したのち、浴槽１２０内に落下する。このとき、温水シャワーの放熱効果により、浴室１００の空気が暖められる。浴槽１２０内に落下した温水３００は、循環ポンプ２３０によって浴槽１２０から排出され、循環経路２１０を循環する。そのため、浴槽１２０の温水３００の水位が概ね一定に保たれる。さらに、温水３００は、熱交換器２２０によって加熱されるので、温水シャワーの温度が一定に保たれる。このように、浴室暖房ユニット１では、噴出口１１から温水シャワーが噴出しているときであっても、温水３００が中継経路３０を介して循環経路２１０を循環しているので、温水３００を無駄にすることなく、循環させながら、浴室１２０の空気が暖められる。
【００２４】
ユーザは、浴室暖房ユニット１による暖房をオフしたい場合には、切り換え弁４０の切り換えを手動または端末６０の操作によって行う。例えば、ユーザが切り換え弁４０のレバーを操作することによって、切り換え弁４０において中継経路３０側の流路を閉じ、浴槽１２０側の流路を開ける。また、例えば、ユーザが端末６０のオフボタンを押し下げることにより、オフボタンの押し下げに基づいた制御信号が端末６０で生成され、切り換え機構５０に出力される。切り換え機構５０は、オフボタンの押し下げに基づいた制御信号が端末６０から入力されると、入力された制御信号に基づいて、切り換え弁４０における中継経路３０側の流路を閉じ、浴槽１２０側の流路を開ける。すると、循環ポンプ２３０側から流れてきた温水３００の流れが、切り換え弁４０によって、中継経路３０側から浴槽１２０側に切り替わる。これにより、循環ポンプ２３０側から流れてきた温水３００が浴槽１２０を介して循環経路２１０を循環する。このとき、噴出部１０からは、温水３００のシャワーは噴出せず、浴槽１２０内の温水３００が加熱される。また、このとき、循環加熱装置２００の熱源をオフにする。
【００２５】
[効果] 
次に、浴室暖房ユニット１の効果について説明する。
【００２６】
浴室を暖房する方法としては、温風による暖房が一般的である。しかし、入浴中の人が温風を体に浴びた場合には、気化熱により体温が奪われるので、入浴中の人は、むしろ寒さを感じることがある。そのため、入浴中の暖房には、温風は不向きである。また、入浴中に温風で浴室を暖房する場合は、前述の事由により、風量を抑制しなければならないので、暖房効率が低下する。
【００２７】
一方、浴室暖房ユニット１では、浴室１００の暖房として、浴槽１２０の温水３００を水源とし、既存の追い焚き用の循環加熱装置２００を熱源および水圧源とする温水シャワーが用いられる。具体的には、暖房オフ時には、循環ポンプ２３０側から流れてきた温水３００が浴槽１２０を介して循環経路２１０を循環する。暖房オン時には、循環ポンプ２３０側から流れてきた温水３００の流れが、切り換え弁４０によって、浴槽１２０側から中継経路３０側に切り替わる。すると、温水３００が、中継経路３０を介して噴出口１１に到達し、噴出口１１からシャワー状に噴出したのち、浴槽１２０内に落下する。このとき、温水シャワーの放熱効果により、浴室１００の空気が暖められる。浴槽１２０内に落下した温水３００は、循環ポンプ２３０によって浴槽１２０から排出され、循環経路３０を循環する。このように、浴室暖房ユニット１では、温水３００を無駄にすることなく、循環させながら、浴室１００の空気が暖められる。また、浴室暖房ユニット１では、浴室１００の暖房に、温水シャワーが用いられており、温風は用いられない。その結果、入浴中でも、浴室１００を効率良く暖房することができる。また、入浴中に暖房することができるので、寒冷期のヒートショックによる事故の低減にも資することとなる。また、温水シャワーによる加湿によって、風邪やインフルエンザ等の予防にも有効と思われる。
【００２８】
また、浴室暖房ユニット１では、循環経路２１０の往路２１１に切り換え弁４０を取り付け、浴室１００の壁１１０の所定の位置に、噴出部１０を固定部２０によって固定し、切り換え弁４０と噴出部１０とを中継経路３０でつなぐだけで、浴室暖房ユニット１の施工が完了する。つまり、既存の設備を活用しつつ、簡易な工事を行うだけで、浴室暖房ユニット１の施工を行うことができる。従って、浴室暖房ユニット１を安価に導入することができる。
【００２９】
また、浴室暖房ユニット１において、噴出部１０に調整機構１３が設けられている場合には、噴出部１０の取り付け位置に自由度を持たせることができる。また、浴室暖房ユニット１において、切り換え機構５０および端末６０が設けられている場合には、切り換え弁４０の流路切り換えを、切り換え弁４０の設置場所まで行かなくても行うことができる。
【符号の説明】
【００３０】
１…浴室暖房ユニット、１０…噴出部、１１…噴出口、１２…流入口、１３…調整機構、２０…固定部、３０…中継流路、４０…切り換え弁、５０…切り換え機構、６０…端末、１００…浴室、１１０…壁、１２０…浴槽、１３０…出入り口、１４０…扉、１２１…風呂循環口、２００…循環加熱装置、２１０…循環経路、２１１…往路、２１２…復路、２２０…熱交換器、２３０…循環ポンプ、３００…温水。
【図１】
0003200104.tif 000003
【図２】
0003200104.tif 000004
【図３】
0003200104.tif 000005
【図４】
0003200104.tif 000006
【図５】
0003200104.tif 000007
【手続補正書】
【提出日】平成27年7月29日(2015.7.29)
【手続補正１】
【補正対象書類名】明細書
【補正対象項目名】００１８
【補正方法】変更
【補正の内容】
【００１８】
固定部２０は、噴出部１０を浴室１００の壁１１０に固定するための部品である。固定部２０は、例えば、噴出部１０の流入口１２を浴室１００の壁１１０に固定している。固定部２０は、例えば、図４に示したように、噴出部１０の流入口１２を支持する（または、流入口１２と嵌合する）開口部２１Ａが設けられた第１部品２１と、第１部品２１の開口部２１Ａと連通するとともに中継経路３０の一端に挿入可能な筒状の第２部品２２とにより構成されている。第１部品２１が、例えば、円盤形状となっており、固定部２０自身を壁１１０に固定するためのビス穴２１Ｂを有していることが好ましい。なお、固定部２０は、図４に記載の構成に限定されるものではない。中継経路３０は、噴出部１０および切り換え弁４０を連結するための配管である。中継経路３０は、噴出部１０および切り換え弁４０に連結されている。中継経路３０は、浴室１００内の美観上、浴室１００の外に配置されていることが好ましい。
【手続補正２】
【補正対象書類名】明細書
【補正対象項目名】００２３
【補正方法】変更
【補正の内容】
【００２３】
ユーザは、浴室暖房ユニット１による暖房をオンしたい場合には、切り換え弁４０の切り換えを手動または端末６０の操作によって行う。例えば、ユーザが切り換え弁４０のレバーを操作することによって、切り換え弁４０において浴槽１２０側の流路を閉じ、中継経路３０側の流路を開ける。また、例えば、ユーザが端末６０のオンボタンを押し下げることにより、オンボタンの押し下げに基づいた制御信号が端末６０で生成され、切り換え機構５０に出力される。切り換え機構５０は、オンボタンの押し下げに基づいた制御信号が端末６０から入力されると、入力された制御信号に基づいて、切り換え弁４０における浴槽１２０側の流路を閉じ、中継経路３０側の流路を開ける。すると、循環ポンプ２３０側から流れてきた温水３００の流れが、切り換え弁４０によって、浴槽１２０側から中継経路３０側に切り替わる。これにより、循環ポンプ２３０側から流れてきた温水３００が、中継経路３０を介して噴出口１１に到達し、噴出口１１からシャワー状に噴出したのち、浴槽１２０内に落下する。このとき、温水シャワーの放熱効果により、浴室１００の空気が暖められる。浴槽１２０内に落下した温水３００は、循環ポンプ２３０によって浴槽１２０から排出され、循環経路２１０を循環する。そのため、浴槽１２０の温水３００の水位が概ね一定に保たれる。さらに、温水３００は、熱交換器２２０によって加熱されるので、温水シャワーの温度が一定に保たれる。このように、浴室暖房ユニット１では、噴出口１１から温水シャワーが噴出しているときであっても、温水３００が中継経路３０を介して循環経路２１０を循環しているので、温水３００を無駄にすることなく、循環させながら、浴室１００の空気が暖められる。
【手続補正３】
【補正対象書類名】明細書
【補正対象項目名】００２７
【補正方法】変更
【補正の内容】
【００２７】
一方、浴室暖房ユニット１では、浴室１００の暖房として、浴槽１２０の温水３００を水源とし、既存の追い焚き用の循環加熱装置２００を熱源および水圧源とする温水シャワーが用いられる。具体的には、暖房オフ時には、循環ポンプ２３０側から流れてきた温水３００が浴槽１２０を介して循環経路２１０を循環する。暖房オン時には、循環ポンプ２３０側から流れてきた温水３００の流れが、切り換え弁４０によって、浴槽１２０側から中継経路３０側に切り替わる。すると、温水３００が、中継経路３０を介して噴出口１１に到達し、噴出口１１からシャワー状に噴出したのち、浴槽１２０内に落下する。このとき、温水シャワーの放熱効果により、浴室１００の空気が暖められる。浴槽１２０内に落下した温水３００は、循環ポンプ２３０によって浴槽１２０から排出され、循環経路２１０を循環する。このように、浴室暖房ユニット１では、温水３００を無駄にすることなく、循環させながら、浴室１００の空気が暖められる。また、浴室暖房ユニット１では、浴室１００の暖房に、温水シャワーが用いられており、温風は用いられない。その結果、入浴中でも、浴室１００を効率良く暖房することができる。また、入浴中に暖房することができるので、寒冷期のヒートショックによる事故の低減にも資することとなる。また、温水シャワーによる加湿によって、風邪やインフルエンザ等の予防にも有効と思われる。
【手続補正４】
【補正対象書類名】明細書
【補正対象項目名】００３０
【補正方法】変更
【補正の内容】
【００３０】
１…浴室暖房ユニット、１０…噴出部、１１…噴出口、１２…流入口、１３…調整機構、２０…固定部、３０…中継経路、４０…切り換え弁、５０…切り換え機構、６０…端末、１００…浴室、１１０…壁、１２０…浴槽、１３０…出入口、１４０…扉、１２１…風呂循環口、２００…循環加熱装置、２１０…循環経路、２１１…往路、２１２…復路、２２０…熱交換器、２３０…循環ポンプ、３００…温水。